(57)【特許請求の範囲】
【請求項１】
強化プラスチックの芯体と、同芯体の外周を被覆する弾力性の絶縁被覆体により構成された碍子本体を備え、同碍子本体の頭部の外周に設けた環状の溝部に沿って配置した電線を、同溝部にバインド線により括り付けて前記碍子本体の外周に固定するための強化プラスチックを芯体とするタイトップ形碍子であり、前記絶縁被覆体の前記溝部と略同一形状に形成された金属製の環状部材を前記溝部に固着して、同溝部の外周面に前記環状部材の外周面を露出させたことを特徴とする強化プラスチックを芯体とするタイトップ形碍子。
【請求項２】
請求項１に記載のタイトップ形碍子において、前記環状部材を、前記芯体とは離間した状態で前記絶縁被覆体に埋設したことを特徴とする強化プラスチックを芯体とするタイトップ形碍子。
【請求項３】
請求項１または２に記載のタイトップ形碍子において、前記環状部材が１または複数の貫通孔を備え、同貫通孔に前記絶縁被覆体の一部が介入していることを特徴とする強化プラスチックを芯体とするタイトップ形碍子。
【発明の詳細な説明】
【０００１】
【発明の属する技術分野】
本発明は、強化プラスチックを芯体とするタイトップ形碍子に関する。
【０００２】
【従来の技術】
タイトップ形碍子は、碍子本体の頭部の外周に環状の溝部を備え、同碍子本体の溝部に沿って配置した電線を、同溝部にバインド線により括り付けて碍子本体の外周に固定するためのもので、全体を磁器材料にて形成されている磁器碍子が一般である。
【０００３】
しかしながら、近年、タイトップ形碍子の分野においても、雷サージのフラッシュオーバ時のアークに対する碍子の熱衝撃強度等を高め、かつ軽量化して扱いを容易にする目的で、碍子本体の一部または全部をプラスチックおよび／または合成ゴムにて形成する試みがなされている。
【０００４】
ところで、碍子本体の一部または全部をプラスチックおよび／または合成ゴムにて形成してなるタイトップ形碍子においては、電線をその外周に設けた環状の溝部に沿ってバインド線により固定するものであるから、当該碍子を架設した状態で支持した電線が搖動、振動すると、バインド線が碍子本体の溝部の表面に摺接して溝部の表面を摩耗損傷するおそれがある。
【０００５】
かかる問題に対処すべく、特開平５−３４２９３４号公報には、碍子本体が磁器材料からなる主体部と、同主体部の外周を被覆する合成ゴムからなる絶縁被覆体とにより構成して、同主体部の頭部を絶縁被覆体から突出させてその外周に環状の溝部を形成した構成の複合碍子が提案されている。
【０００６】
【発明が解決しようとする課題】
かかる構成の当該複合碍子においては、電線の固定部位である溝部が成形されている頭部が磁器製であることから、バインド線が摺接しても、溝部が摩耗損傷することはない。しかしながら、当該複合碍子においては、主体部が磁器製であることから碍子の軽量化が十分ではないとともに、絶縁被覆体から露出している頭部は依然として衝撃強度の点で問題がある。
【０００７】
一方、当該複合碍子の磁器製の主体部に起因する不具合を解決するためには、碍子本体の全てをプラスチックおよび／または合成ゴムにて形成することが考えられ、碍子本体を、強化プラスチックの芯体と、同芯体の外周を被覆する弾力性の絶縁被覆体により構成してなるタイトップ形碍子、所謂タイトップ形のポリマー碍子を提案することができる。
【０００８】
しかしながら、当該ポリマー碍子においては、電線の固定部位である溝部をバインド線や電線による摩耗損傷から保護するには、碍子本体の頭部を、外周に環状の溝部を有する金属製のキャップにて被覆する手段が必要となる。このため、当該ポリマー碍子においては、碍子本体それ自体を軽量化しているものの、碍子本体の頭部を被覆しているキャップに起因して、碍子の軽量化を十分に達成することはできない。
【０００９】
従って、本発明の目的は、所謂タイトップ形のポリマー碍子において、碍子の重量を増加を抑制して、電線の固定部位である環状の溝部での摩耗損傷を効果的に防止することにある。
【００１０】
【課題を解決するための手段】
本発明はタイトップ形碍子に関し、特に、強化プラスチックの芯体と、同芯体の外周を被覆する弾力性の絶縁被覆体により構成された碍子本体を備え、同碍子本体の頭部の外周に設けた環状の溝部に沿って配置した電線を、同溝部にバインド線により括り付けて前記碍子本体の外周に固定するための強化プラスチックを芯体とする形式のタイトップ形碍子を対象とするものである。
【００１１】
しかして、本発明に係るタイトップ形碍子は上記した形式のタイトツプ形碍子において、前記絶縁被覆体の前記溝部と略同一形状に形成された金属製の環状部材を前記溝部に固着して、同溝部の外周面に前記環状部材の外周面を露出させたことを特徴とするものである。
【００１２】
当該タイトップ形碍子においては、前記環状部材を前記芯体とは離間した状態で前記絶縁被覆体の溝部に埋設する構成とし、また前記環状部材として１または複数の貫通孔を備えた環状部材を採用して、同貫通孔に前記絶縁被覆体の一部が介入する構成とすることができる。
【００１３】
【発明の作用・効果】
かかる構成のタイトップ形碍子においては、架設された状態で支持する電線が揺動または振動して、電線を括り付けているバイント線が溝部の外周面に摺接しても、同溝部の外周には金属製の環状部材の外周面が露出して同外周面を形成しているため、同溝部の外周面における摩耗損傷は極めて少ない。
【００１４】
当該タイトップ形碍子において、環状部材を芯体に対して離間した状態で絶縁被覆体の溝部に埋設するように構成した場合には、環状部材と芯体間に弾力性の絶縁被覆体が介入してクッションを形成するので、
また、当該タイトップ形碍子において、環状部材として１または複数の貫通孔を備えた環状部材を採用した場合には、環状部材の貫通孔には絶縁被覆体の一部を介入させることができる。これにより、環状部材は、電線の揺動、振動等によっても固着状態が緩むようなことがなく、絶縁被覆体に対して強固な固着状態を保持することができる。
【００１５】
以上の作用効果は、金属製の環状部材を採用することにより達成することができるため、碍子本体の頭部を金属製のキャップで被覆する場合に比較して、碍子の重量を軽減することができる。この場合、環状部材として薄肉状のものを採用すれば、碍子の重量を一層軽減することができる。
【００１６】
【発明の実施の形態】
以下、本発明を図面に基づいて説明するに、図１には、本発明に係るタイトップ形碍子の一例が示されている。当該タイトップ形碍子（以下、単に碍子と称することがある）は、碍子本体１０ａとベース金具１０ｂとからなるもので、ベース金具１０ｂは碍子本体１０ａの下端部に嵌着されている。当該碍子は、そのベース金具１０ｂに固設した植込ボルト２２により電柱の腕金２１に固定されて、腕金２１上に立設されている。
【００１７】
しかして、碍子本体１０ａは、芯体１１と、絶縁被覆体１２と、環状部材１３とにより構成されている。
【００１８】
芯体１１は、ガラス繊維、合成繊維等のモノフィラメント、マルチフィラメント、各種繊維の紡績糸等からなる束状の糸条にエポキシ樹脂、不飽和ポリエステル樹脂等の合成樹脂を含浸して硬化してなる強化プラスチック製もので、所定の長さで所定の外径寸法に形成されている。
【００１９】
絶縁被覆体１２は、シリコーンゴム、エチレン−プロピレンゴム等の弾力性の材料からなるもので、芯体１１の外周の全てを被覆する胴部１２ａと、胴部１２ａの外周の側部にて外方へ突出する２種類の複数の環状ひだ部１２ｂ，１２ｃとにより構成されている。各環状ひだ部１２ｂ，１２ｃは胴部１２ａの長手方向に所定間隔を保持して交互に配置されているもので、各環状ひだ部１２ｂ，１２ｃのこのような段違いの配置は、水滴による橋絡を防止するためのものである。
【００２０】
環状部材１３は金属製のもので、図２〜図４に示すように、長手方向の中間部の外径が最も小さくて開口端側に向かって漸次拡開する形状に形成されていて、筒状本体１３ａの外周が環状の凹部となっている。また、筒状本体１３ａの周囲には複数の貫通孔１３ｂが形成されている。
【００２１】
環状部材１３は、絶縁被覆体１２の頭部に設けた環状の溝部１２ｄに埋設されていて、筒状本体１３ａの外周面が露出して溝部１２ｄの外周面を形成している。また、この状態で、環状部材１３の貫通孔１３ｂには、絶縁被覆体１２の一部が介入している。
【００２２】
絶縁被覆体１２は所定の成形型内にて成形加工して形成されるが、絶縁被覆体１２に成形に際しては、成形型内の所定の部位に、芯体１１、芯体１１の下端部に嵌合してカシメられて固着しているベース金具１０ｂ、および環状部材１３を収容し、この状態でモールディングすることによりベース金具１０ｂ、芯体１１おび環状部材１３と一体に成形される。
【００２３】
当該碍子は、図１に示すように、電柱の腕金２１上に立設されて電線を支持するものであり、図４に示すように、電線２３を碍子本体１０ａの絶縁被覆体１２の溝部１２ｄに沿って配置して、電線２３の芯線２３ａを被覆する被覆体２３ｂの外周に巻回されているバインド線２４により、溝部１２ｄの外周に括り付けて固定される。
【００２４】
かかる構成のタイトップ形碍子においては、電線２３の固定部位である絶縁被覆体１２の溝部１２ｄの外周面には、金属製の環状部材１３における筒状本体１３ａの外周面が露出していて、同外周面が絶縁被覆体１２の溝部１２ｄの外周面を形成しているため、電線２３が揺動または振動して電線２３を括り付けているバイント線２４が溝部１２ｄの外周面に摺接しても、溝部１２ｄの外周面における摩耗損傷は極めて少ない。
【００２５】
また、環状部材１３は、芯体１１との間に弾力性の絶縁被覆体１２を介入させて離間した状態に位置していることから、環状部材１３と芯体１１との間にクツションが形成され、環状部材１３が電線２３から受ける振動や衝撃が吸収され、緩和される。
【００２６】
また、当該タイトップ形碍子においては、環状部材として筒状本体１３ａに複数の貫通孔１３ｂを形成してなる環状部材１３を採用して、環状部材１３の各貫通孔１３ｂに絶縁被覆体１２の一部を介入させている。このため、環状部材１３は、電線２３の揺動、振動等によっても固着状態が緩むようなことがなく、絶縁被覆体１２に対して強固な固着状態を長期間保持することができる。
【００２７】
なお、環状部材１３の絶縁被覆体１２に対する固着を助成するために、環状部材１３の内周に打型等により突起を形成して、この突起を絶縁被覆体１２に掛止するよにすることができる。これにより、環状部材１３は、絶縁被覆体１２に対して強固に保持される。
【００２８】
これらの作用効果は、金属製の環状部材１３を採用することにより達成することができるため、碍子本体１０ａの頭部を金属製のキャップで被覆する場合に比較して、碍子の重量を軽減することができる。この場合、特に薄肉状の環状部材１３を採用すれば、碍子の重量を一層軽減することができる。
【図面の簡単な説明】
【図１】本発明の一例に係る碍子の縦断側面図である。
【図２】同碍子を構成する環状部材の拡大縦断側面図である。
【図３】同碍子における頭部の部分拡大縦断面図である。
【図４】同碍子の頭部に電線を固定した状態を示す部分拡大側面図である。
【符号の説明】
１０ａ…碍子本体、１０ｂ…ベース金具、１１…芯体、１２…絶縁被覆体、１２ａ…胴部、１２ｂ，１２ｃ…ひだ部、１２ｄ…溝部、１３…環状部材、１３ａ…筒状本体、１３ｂ…貫通孔、２１…腕金、２２…植込ボルト、２３…電線、２３ａ…芯線、２３ｂ…被覆体、２４…バインド線。
【図１】
0003752327.tif 000002
【図２】
0003752327.tif 000003
【図３】
0003752327.tif 000004
【図４】
0003752327.tif 000005